(57)【要約】【課題】  既にユーザーが所有する既存の巻尺を利用でき、巻尺の目盛帯の先端を軒樋の端部に目盛りの基準点を合わせた状態で簡単に固定でき、一人での軒樋配設施工における寸法測定作業を可能にすると共に、寸法測定作業の作業性も良好にし得る寸法測定治具を提供する。【解決手段】  巻尺２の目盛帯３を沿わせて配置させる治具本体５の先端に、巻尺２の目盛帯３の先端に垂設した引掛片６を引掛けるための縦片部７を略垂直に突設する。治具本体５の先端から治具本体５の先端方向に上横片部８を延設すると共に縦片部７の突出先端から治具本体５の先端方向に下横片部９を突設する。上横片部８と下横片部９とで軒樋４の端部４ａを縦片部７に向けて挿入させる挿入溝１０を形成する。巻尺２の引掛片６を縦片部７に押圧させた状態で挿入溝１０内に挿入させた軒樋４の端部４ａを固定させるクランプ手段１６を挿入溝１０に設ける。【選択図】      図１
2005213772.tif 000002
【特許請求の範囲】
【請求項１】
巻尺の目盛帯の先端に着脱自在に取付けて軒樋の端部に巻尺の目盛帯の先端を固定させる寸法測定治具であって、巻尺の目盛帯を沿わせて配置させる治具本体の先端に、巻尺の目盛帯の先端に垂設した引掛片を引掛けるための縦片部を略垂直に突設し、治具本体の先端から治具本体の先端方向に上横片部を延設すると共に縦片部の突出先端から治具本体の先端方向に下横片部を突設し、この上横片部と下横片部とで軒樋の端部を縦片部に向けて挿入させる挿入溝を形成し、巻尺の引掛片を縦片部に押圧させた状態で挿入溝内に挿入させた軒樋の端部を固定させるクランプ手段を挿入溝に設けたことを特徴とする寸法測定治具。
【請求項２】
目盛帯の両幅方向から目盛帯を挟み込む爪部を、少なくとも目盛帯の幅寸法よりも広い間隔をあけて目盛帯の長さ方向に互い違いにして治具本体に形成したことを特徴とする請求項１記載の寸法測定治具。
【発明の詳細な説明】
【技術分野】
【０００１】
本発明は、巻尺の目盛帯の先端を軒樋に取付けるための寸法測定治具に関するものである。
【背景技術】
【０００２】
従来から、軒樋配設施工では寸法測定作業が頻繁に行われる。たとえば屋根の軒先に沿って軒樋を配設するには、図５のように、一定長さに製造された軒樋４を屋根の軒先１７に沿わせて順に配設していくのであるが、屋根の軒樋方向の長さ寸法は必ずしも一定長さの軒樋４の倍数ではないため、順に配設した最後の軒樋４は適宜長さで切断しなければならない。この切断させる軒樋４の長さ寸法は施工現場での寸法測定によって決定される。この寸法測定作業は、具体的に、脚立１８などに登った施工者１９が軒先１７に既に取り付けられた軒樋４の長さ方向の端部４ａに巻尺２の目盛帯３の先端を合わせて保持し、他方、脚立１８などに登った施工者２０が所定位置の目盛帯３の目盛りを読むことで行われる。このように軒樋配設施工での寸法測定作業は、巻尺２の目盛帯３の先端を押さえる施工者１９と、巻尺２の目盛帯３の目盛りを読む施工者２０との２人の施工者を同時に必要とする煩雑な作業であることから、必要とされる施工者数を一人にして作業の容易化が図られることが切望されている。
【０００３】
ところで、巻尺の目盛帯の先端に吸盤を付設したり（たとえば特許文献１参照）、目盛帯の先端に永久磁石を付設したりして（たとえば特許文献２参照）、吸盤や永久磁石によって巻尺２の目盛帯３の先端を軒樋４などの被測定物に固定させて一人の施工者で寸法測定作業を行おうとするものはあった。
【０００４】
しかしながら、被測定物としての軒樋４は、薄板状断面の樹脂成形品であるのが一般的であり、また丸型軒樋のように曲面状の壁面を有するものであるから、上記吸盤や永久磁石によっては巻尺２の目盛帯３の先端を軒樋４の端部４ａに固定させられない場合が多く、また仮に巻尺２の目盛帯３の先端を軒樋４の端部４ａに固定できたとしても、目盛りの基準点（０点）を軒樋４の端部４ａに一致させて固定できないことも多く、この場合、目盛りの値と実際の距離寸法とがずれていることから、寸法測定作業の作業性が煩雑になると共に測定ミス発生の原因となってしまうものであった。更に言うと、特許文献１や２の巻尺２は目盛帯３に吸盤や永久磁石を直接取り付けた構造のものであるから、既にユーザーが所有する通常の巻尺は利用できないといったもどかしさがある。
【特許文献１】実開昭６０−５０１号公報
【特許文献２】実開平５−３６３０２号公報
【発明の開示】
【発明が解決しようとする課題】
【０００５】
本発明は上記の従来の問題点に鑑みて発明したものであって、既にユーザーが所有する既存の巻尺を利用でき、この巻尺の目盛帯の先端を軒樋の端部に目盛りの基準点を合わせた状態で簡単に固定できて、一人での軒樋配設施工における寸法測定作業を可能にするのは勿論、その寸法測定作業の作業性も良好にし得る寸法測定治具を提供することを課題とするものである。
【課題を解決するための手段】
【０００６】
上記課題を解決するために本発明の請求項１に係る寸法測定治具は、巻尺２の目盛帯３の先端に着脱自在に取付けて軒樋４の端部４ａに巻尺２の目盛帯３の先端を固定させる寸法測定治具１であって、巻尺２の目盛帯３を沿わせて配置させる治具本体５の先端に、巻尺２の目盛帯３の先端に垂設した引掛片６を引掛けるための縦片部７を略垂直に突設し、治具本体５の先端から治具本体５の先端方向に上横片部８を延設すると共に縦片部７の突出先端から治具本体５の先端方向に下横片部９を突設し、この上横片部８と下横片部９とで軒樋４の端部４ａを縦片部７に向けて挿入させる挿入溝１０を形成し、巻尺２の引掛片６を縦片部７に押圧させた状態で挿入溝１０内に挿入させた軒樋４の端部４ａを固定させるクランプ手段１６を挿入溝１０に設けたことを特徴とする。
【０００７】
これによると、巻尺２の目盛帯３の先端に着脱自在に取付けて軒樋４の端部４ａに巻尺２の目盛帯３の先端を固定させる寸法測定治具１であるから、既にユーザーが所有する既存の巻尺２に寸法測定治具１を取付けてこの巻尺２の目盛帯３の先端を軒樋４の端部４ａに固定でき、一人での軒樋配設施工における寸法測定作業を可能にするものであり、そして、目盛帯３の先端の引掛片６を縦片部７に引掛け係止させて治具本体５に巻尺２の目盛帯３を沿わせることで、寸法測定治具１に対して巻尺２の目盛帯３を所定の状態に簡単に配置させることができ、更に治具本体５に設けた挿入溝１０内に挿入された軒樋４の端部４ａは巻尺２の引掛片６を縦片部７に押圧させた状態でクランプ手段１６にて寸法測定治具１に固定されるから、軒樋４の端部４ａが巻尺２の引掛片６に当接して目盛帯３の基準点（０点）が軒樋４の端部４ａに一致した状態で巻尺２の目盛帯３と軒樋４の端部４ａとを寸法測定治具１に同時に取り付けることができ、つまり、目盛帯３の基準点（０点）を軒樋４の端部４ａに簡単に一致させることができ、その状態で巻尺２の目盛帯３の先端を軒樋４の端部４ａに固定させることができるから、寸法測定作業の良好な作業性の確保も可能にするものである。
【０００８】
また、請求項２に係る寸法測定治具は、請求項１において、目盛帯３の両幅方向から目盛帯３を挟み込む爪部１１を、少なくとも目盛帯３の幅寸法よりも広い間隔をあけて目盛帯３の長さ方向に互い違いにして治具本体５に形成したことを特徴とする。
【０００９】
これによると、治具本体５に沿わせて配置した目盛帯３は治具本体５に形成した爪部１１によってその両幅方向から挟み込まれるので、目盛帯３を治具本体５に爪部１１によって保持させる仮保持状態が得られると共に目盛帯３の寸法測定治具１への取付強度を向上させることができ、また、この爪部１１は少なくとも目盛帯３の幅寸法よりも広い間隔をあけて目盛帯３の長さ方向に互い違いに配設されているので、まず、爪部１１を直線状に結んだ方向に対して略直交する方向に目盛帯３の長手方向を合わせるようにして爪部１１の間に目盛帯３を配置し、次いで、巻尺２の引掛片６を縦片部７に係止させるように目盛帯３を水平回動させることで、確実に爪部１１によって目盛帯３をその幅方向から挟み込ませることができ、つまり簡単な作業で爪部１１によって目盛帯３を治具本体５に取付けることができるのであって、寸法測定作業の作業性を向上できるのである。
【発明の効果】
【００１０】
本発明は、既にユーザーが所有する既存の巻尺に寸法測定治具を取付けてこの巻尺の目盛帯の先端を軒樋の端部に固定できると共に一人での軒樋配設施工における寸法測定作業を可能にするといった効果を有しており、また、寸法測定治具に対して巻尺の目盛帯を所定の状態に簡単に配置させることができるといった効果を有しており、更に、寸法測定治具を軒樋の端部に取付けたときには目盛帯の基準点（０点）が軒樋の端部に一致した状態とでき、つまり簡単に目盛帯の基準点（０点）が軒樋の端部に簡単に一致させることができて寸法測定作業の良好な作業性を確保できるといった効果を有している。
【発明を実施するための最良の形態】
【００１１】
本発明は、巻尺２の目盛帯３の先端に着脱自在に取付けて軒樋４の端部４ａに巻尺２の目盛帯３の先端を固定させる寸法測定治具１である。つまり、既にユーザーが所有する既存の巻尺２に寸法測定治具１を取付けてこの巻尺２の目盛帯３の先端を軒樋４の端部４ａに固定させ、一人での軒樋配設施工における寸法測定作業を可能にさせる軒樋用の寸法測定治具１である。以下、その構成を詳述する。
【００１２】
本例の寸法測定治具１は、図２に示すように、平面視矩形状の水平板状の治具本体５を有しており、この治具本体５の先端から垂直下方に縦片部７が垂設され、この縦片部７の下端から先端方向に水平板状の下横片部９が延設され、また治具本体５の先端部位における治具本体５の両幅端部からは先端方向に水平板状の上横片部８がそれぞれ突設されている。ところで、上記先端方向（図２（ａ）中矢印ａ）は寸法測定治具１に取付ける軒樋４が位置する方向であり、この先端方向に対して反対方向（図２（ａ）矢印ｂ）は基端方向と称するものとする。この基端方向は寸法測定治具１に取付ける巻尺２が位置する方向である。つまり、寸法測定治具１を介して巻尺２の目盛帯３の先端を軒樋４の端部４ａに固定した状態では、巻尺２と軒樋４は寸法測定治具１を介して一直線状にある位置関係を有するようになる。また、便宜上、図２（ｂ）の矢印ｃを上方向と、矢印ｄを下方向と称するものとする。
【００１３】
図２（ｂ）のように、水平板状の上横片部８と下横片部９とは、縦片部７の上下高さ分の間隔をあけて上下位置に配置されており、この間隔には先端方向から基端方向に向けて薄板状の軒樋４の端部４ａが挿入される。つまり、上横片部８と下横片部９とで軒樋４の端部４ａを縦片部７に向けて挿入させる挿入溝１０が形成されている。なお、この上横片部８と下横片部９とは厳密には上下方向には重ならない位置関係を有しており（図２（ａ）参照）、上記挿入溝１０は先端方向のみならず上方にも開放された形状を有している。また、挿入溝１０の溝外に位置する下横片部９の下面にはナット材１２が溶接にて固着されている。ここで、ナット材１２の雌ネジ孔１２ａは下横片部９の中央部分に穿孔した貫通孔９ａに連通されている。なお、この連通する雌ネジ孔１２ａ及び貫通孔９ａは便宜上、取付孔１３と称する。この取付孔１３には図１のように下方から蝶ネジ１４が上下に螺進自在に螺着される。この下横片部９の取付孔１３に蝶ネジ１４を螺進自在に付設させた構造は、蝶ネジ１４の締め付けによって挿入溝１０に挿入した軒樋４の端部４ａを上横片部８に圧接させて固定可能にするものであって、クランプ手段１６を構成している。
【００１４】
また、治具本体５の上面における両幅端部にはそれぞれＬ字片状の爪部１１が突設されている。この一対の爪部１１は水平板状の治具本体５の上面に巻尺２の目盛帯３を沿わせて配置させたときに巻尺２の目盛帯３をその両幅方向から挟み込むものである。各々の爪部１１は治具本体５から垂直上方に突出した基部１１ａの突出先端で水平且つ幅方向の中央に向けて先端部１１ｂを突設して形成されており、隙間を介して平行に対向する先端部１１ｂと治具本体５とで目盛帯３を上下に挟持できるようにしている。そして、この一対の爪部１１は、少なくとも目盛帯３の幅寸法よりも広い間隔をあけて、目盛帯３の長さ方向に互い違いにして治具本体５の両幅端部の位置に配設されている。
【００１５】
ところで、上記構成の本例の寸法測定治具１は、一枚の金属材料板（たとえばＳＵＳ板材）を板金加工し、これにナット材１２を溶着することで形成されている。詳しくは、まず、一枚の金属材料板を切欠１５の切り込みや貫通孔９ａの穿孔を伴って所定形状に施し、次に、爪部１１や縦片部７及び下横片部９などを折り曲げ形成し、最後に、下横片部９にナット材１２を溶着させて形成されるのである。このように本例の寸法測定治具１は、一枚の金属材料板にて形成される良好な製造性を備えているものである。
【００１６】
上記構成の寸法測定治具１は、巻尺２の目盛帯３の先端に着脱自在に取付け、巻尺２の目盛帯３の先端を軒樋４の端部４ａに固定させるように軒樋４の端部４ａに取り付けて使用される。以下、その使用につき詳述する。
【００１７】
寸法測定治具１に巻尺２の目盛帯３の先端を取付けるにはまず仮取付が行われる。この仮取付は治具本体５の上面に沿わせて配置した巻尺２の目盛帯３を爪部１１によって保持させた状態である。この巻尺２の目盛帯３の寸法測定治具１への仮取付のプロセスは、まず図３（ａ）のように、一方の爪部１１に目盛帯３を引掛けるように、爪部１１を直線状に結んだ方向に対して略直交する方向に目盛帯３の長手方向を合わせるようにして、爪部１１の間に目盛帯３を治具本体５の基端方向から挿入して配置する。ここで、上述したように１対の爪部１１は少なくとも目盛帯３の幅寸法よりも広い間隔をあけて配設されているので、一対の爪部１１の間への目盛帯３の挿入は確実に行い得るようにされている。次に図３（ｂ）→図３（ｃ）のように、目盛帯３を水平回動させて目盛帯３を他方の爪部１１に引掛ける（矢印Ａ）。ここで、図３（ｃ）の状態では、目盛帯３はその長手方向を治具本体５の先端―基端方向に合致させて一対の爪部１１にてその幅方向の両側から挟持されているのであるが、目盛帯３の先端に下方に垂設した引掛片６は治具本体５の遥か先端方向の位置にある。そして、最後に図３（ｃ）→図３（ｄ）のように、目盛帯３を治具本体５の基端方向に引っ張り（矢印Ｂ）、目盛帯３の先端の引掛片６を縦片部７に係止させるのである。このように、この寸法測定治具１は、簡単な手順、つまり良好な作業性で、目盛帯３の引掛片６を縦片部７に係止させた所定状態で巻尺２の目盛帯３の先端に仮取付させることが可能にされているのである。なお、巻尺２の目盛帯３の先端への寸法測定治具１の仮取付け状態では、爪部１１によって目盛帯３が上下左右にずれないように治具本体５に支持されているので、たとえ寸法測定治具１の上面を下方に向けても目盛帯３と治具本体５とが外れないようにされている。
【００１８】
上記仮取付の後には本取付が行われて、寸法測定治具１への巻尺２の目盛帯３の取付けが為されるが、この寸法測定治具１への巻尺２の目盛帯３の本取付は寸法測定治具１を軒樋４の端部４ａに取付けたとき同時に行われる。軒樋４の端部４ａに寸法測定治具１を取り付けるには、寸法測定治具１の挿入溝１０に軒樋４の端部４ａを挿入させてクランプ手段１６にて軒樋４の端部４ａを挿入溝１０に固定させることで行われるのであるが、上記のように目盛帯３を仮取付した寸法測定治具１にあっては目盛帯３の引掛片６が寸法測定治具１の縦片部７に沿って位置し、つまり挿入溝１０の最奥部に引掛片６が位置しているから、図１，４のように、寸法測定治具１の挿入溝１０に挿入した軒樋４の端部４ａは目盛帯３の引掛片６を縦片部７に押し当てるのであって、この状態でクランプ手段１６によって軒樋４の端部４ａを挿入溝１０に固定させると、目盛帯３の引掛片６が縦片部７と軒樋４の端部４ａとで挟持、固定されるのである。このように、寸法測定治具１への目盛帯３の本取付は、軒樋４の端部４ａへの寸法測定治具１の取付けと同時に行われるので、簡単な手順、つまり良好な作業性で行わせることが可能にされているのである。
【００１９】
上述のようにして寸法測定治具１を介して巻尺２の目盛帯３の先端を軒樋４の端部４ａに固定させた状態を図１，４に示す。まず、本例の寸法測定治具１は爪部１１によって巻尺２の目盛帯３を着脱自在に取付け、この巻尺２の目盛帯３が取付けられた寸法測定治具１を軒樋４の端部４ａに取付けることで、巻尺２の目盛帯３の先端を軒樋４の端部４ａに固定させているので、既にユーザーが所有する既存の巻尺２を用いて寸法測定治具１を用いた軒樋配設施工における寸法測定作業を行わせることができるのものである。また、この軒樋配設施工における寸法測定作業は、上述のように巻尺２の目盛帯３の先端を寸法測定治具１を介して軒樋４の端部４ａに固定させた状態で行わせることができるので、巻尺２の目盛帯３の先端を軒樋４の端部４ａに固定させる施工者１９（図５参照）は必要なくなり、目盛りを読む一人の施工者２０によって行わせることが可能にされている。また、この巻尺２の目盛帯３の先端を軒樋４の端部４ａに取付けた状態では、軒樋４の端部４ａが目盛帯３の引掛片６を寸法測定治具１の縦片部７に押し付けた状態となっており、つまり目盛帯３の引掛片６にある目盛りの基準点（０点）を軒樋４の端部４ａに一致させた状態とされているので、軒樋配設施工における寸法測定作業は目盛りの値と実際の距離寸法とが一致した状態で行え、寸法測定作業の良好な作業性が確保されているのである。更に言うと、この目盛りの基準点（０点）を軒樋４の端部４ａに一致させる作業は、上述したように軒樋１の端部４ａへの寸法測定治具１の取付け作業時に必然的になされるのであり、つまり基準点（０点）の軒樋４の端部４ａへの位置決め作業は別途必要とされることはないため、良好な作業性で寸法測定作業が行えるようになっているのである。なお、図１では寸法測定治具１は軒樋４の縦壁状部位に取付けた状態を示しているが、寸法測定治具１と目盛帯３との仮取付状態では寸法測定治具１がいかなる姿勢にあっても巻尺２の目盛帯３と治具本体５との係合状態が爪部１１によって維持されるので、寸法測定治具１の軒樋４への取付け姿勢及び取付け位置は任意の姿勢及び位置に設定できることは言うまでもない。
【図面の簡単な説明】
【００２０】
【図１】本発明の実施の形態の例の寸法測定治具の使用状態を示す斜視図である。
【図２】同上の寸法測定治具であり、（ａ）は正面図であり、（ｂ）は下面図であり、（ｃ）は側面図である。
【図３】（ａ）〜（ｄ）は同上の寸法測定治具に巻尺の目盛帯を仮取付させるプロセスを順に説明する説明図である。
【図４】同上の寸法測定治具を介して巻尺の目盛り帯を軒樋の端部に取付けた状態の縦断面図である。
【図５】従来の軒樋配設施工における寸法測定作業の例を示す斜視図である。
【符号の説明】
【００２１】
１  寸法測定治具
２  巻尺
３  目盛帯
４  軒樋
４ａ  端部
５  治具本体
６  引掛片
７  縦片部
８  上横片部
９  下横片部
１０  挿入溝
１１  爪部
１６  クランプ手段
【図１】
2005213772.tif 000003
【図２】
2005213772.tif 000004
【図３】
2005213772.tif 000005
【図４】
2005213772.tif 000006
【図５】
2005213772.tif 000007